(57)【要約】【課題】使い勝手の良い録画予約番組及び／又は視聴予約番組の一覧を表示できる放送受信システムを提供する。【解決手段】テレビジョン放送波からテレビジョン放送信号を受信するチューナ１１を備えるＨＤＤ内蔵テレビ１において、ユーザによるリモコン１８ａ操作により指定された録画予約番組及び／又は視聴予約番組の放送日を示す日付欄に、所定の録画予約アイコン及び／又は視聴予約アイコンを表示させるためのアイコン情報を付加することによって、当該日付欄に、当該録画予約アイコン及び／又は視聴予約アイコンが表示された予約番組カレンダーを作成する機能を、ＣＰＵ２０１に実現させるカレンダー作成プログラム２０４ｃと、当該作成された予約番組カレンダーを、映像表示部１７ｂに表示させる機能を、ＣＰＵ２０１に実現させるカレンダー表示制御プログラム２０４ｄと、を備えることを特徴とする。【選択図】図１
2010212843.tif 000002
【特許請求の範囲】
【請求項１】
テレビジョン放送波からテレビジョン放送信号を受信する受信手段を備える放送受信システムにおいて、
ユーザが、録画予約番組及び／又は視聴予約番組を指定するための指定手段と、
前記指定手段により指定された録画予約番組及び／又は視聴予約番組の放送日を示す日付欄に、所定の録画予約アイコン及び／又は視聴予約アイコンを表示させるためのアイコン情報を付加することによって、当該日付欄に、当該録画予約アイコン及び／又は視聴予約アイコンが表示された予約番組カレンダーを作成するカレンダー作成手段と、
前記カレンダー作成手段により作成された予約番組カレンダーを、表示手段に表示させるカレンダー表示制御手段と、
を備えることを特徴とする放送受信システム。
【請求項２】
請求項１に記載の放送受信システムにおいて、
前記カレンダー作成手段は、一の日に放送される録画予約番組が１つである場合、前記録画予約アイコンとして第１録画予約アイコンを表示させるためのアイコン情報を付加するとともに、一の日に放送される録画予約番組が複数である場合、前記録画予約アイコンとして第２録画予約アイコンを表示させるためのアイコン情報を付加し、一の日に放送される視聴予約番組が１つである場合、前記視聴予約アイコンとして第１視聴予約アイコンを表示させるためのアイコン情報を付加するとともに、一の日に放送される視聴予約番組が複数である場合、前記視聴予約アイコンとして第２視聴予約アイコンを表示させるためのアイコン情報を付加するアイコン情報付加手段を備えることを特徴とする放送受信システム。
【請求項３】
請求項１又は２に記載の放送受信システムにおいて、
前記カレンダー作成手段は、一の日を示す日付欄に付加された録画予約アイコンを表示させるためのアイコン情報に、録画予約番組数を表示させるための情報を含む第１番組数情報を付加し、一の日を示す日付欄に付加された視聴予約アイコンを表示させるためのアイコン情報に、視聴予約番組数を表示させるための情報を含む第２番組数情報を付加する番組数情報付加手段を備えることを特徴とする放送受信システム。
【請求項４】
請求項１〜３の何れか一項に記載の放送受信システムにおいて、
ユーザが、前記表示手段に表示された予約番組カレンダー中の一の日付欄、前記表示手段に表示された予約番組カレンダー中の一の日付欄に表示された録画予約アイコン、或いは、前記表示手段に表示された予約番組カレンダー中の一の日付欄に表示された視聴予約アイコンを選択するための選択手段と、
前記録画予約番組及び／又は視聴予約番組のリストを作成するリスト作成手段と、
前記リスト作成手段により作成されたリストを、前記表示手段に表示させるリスト表示制御手段と、
を備え、
前記リスト作成手段は、前記選択手段により日付欄が選択された場合、当該日付欄が示す日に放送される録画予約番組及び視聴予約番組のリストを作成し、前記選択手段により録画予約アイコンが選択された場合、当該録画予約アイコンが表示された日付欄が示す日に放送される録画予約番組のリストを作成し、前記選択手段により視聴予約アイコンが選択された場合、当該視聴予約アイコンが表示された日付欄が示す日に放送される視聴予約番組のリストを作成することを特徴とする放送受信システム。
【請求項５】
請求項１〜４の何れか一項に記載の放送受信システムにおいて、
ＥＰＧ（Electronic Program Guide）データを記憶するＥＰＧデータ記憶手段を備え、
前記カレンダー作成手段は、過去を示す日付欄と、現在及び未来を示す日付欄のうちの、ＥＰＧデータが前記ＥＰＧデータ記憶手段に記憶されている日を示す日付欄と、現在及び未来を示す日付欄のうちの、ＥＰＧデータが前記ＥＰＧデータ記憶手段に記憶されていない日を示す日付欄と、を識別するための日付欄識別情報を、各日付欄に付加する日付欄識別情報付加手段を備えることを特徴とする放送受信システム。
【請求項６】
請求項１〜５の何れか一項に記載の放送受信システムにおいて、
前記カレンダー作成手段は、一の日に放送される録画予約番組及び／又は視聴予約番組の中に放送時間が重複する番組がある場合、当該一の日を示す日付欄に、所定の重複予約情報を付加する重複予約情報付加手段を備えることを特徴とする放送受信システム。
【発明の詳細な説明】
【技術分野】
【０００１】
本発明は、放送受信システムに関する。
【背景技術】
【０００２】
従来、テレビジョン放送波からテレビジョン放送信号を受信する受信手段を備える放送受信システムとして、録画予約番組や視聴予約番組の一覧をリスト表示できるものが知られている。
このような放送受信システムにおいて表示されたリストは、一般的に、予約番組に関する情報（番組名や放送日時など）が列記されたものに過ぎないため、予約確認等がやり難く、使い勝手が悪いという問題がある。
【０００３】
そこで、例えば、日付欄に録画済み番組や録画予約番組の番組名が表示されたカレンダーを表示できる録画再生装置（例えば、特許文献１及び２参照）、カレンダーの日付欄に表示された時刻目盛表示子上に登録番組（録画予約番組）表示子を重ねて表示することによりその時間帯に番組の録画予約登録がされていることを表すことができる番組予約装置（例えば、特許文献３参照）等が提案されている。
【先行技術文献】
【特許文献】
【０００４】
【特許文献１】特開２００７−３００４３６号公報
【特許文献２】特開２００７−３００４３９号公報
【特許文献３】特許第２９４９７４９号公報
【発明の概要】
【発明が解決しようとする課題】
【０００５】
しかしながら、表示されるカレンダーの日付欄は大きさに制限があるため、番組名を表示したり、時間目盛表示子上に重ねて録画予約番組表示子を表示したりすると、特に、同日に放送される録画予約番組が複数ある場合は、カレンダーが見難くなり、使い勝手が悪い。
【０００６】
また、特許文献１〜３記載の装置は、表示されたカレンダーから、録画済み番組や録画予約番組の放送日は識別できるものの、視聴予約番組の放送日は識別できない。
ここで、特許文献１〜３記載の装置において、録画済み番組や録画予約番組と同様に、視聴予約番組についても、番組名を表示したり、時間目盛表示子上に重ねて視聴予約番組表示子を表示したりすることも考えられる。しかしながら、これでは、ますますカレンダーが見難くなり、使い勝手が悪くなってしまう。
【０００７】
本発明の課題は、使い勝手の良い録画予約番組及び／又は視聴予約番組の一覧を表示できる放送受信システムを提供することにある。
【課題を解決するための手段】
【０００８】
上記課題を解決するために、請求項１に記載の発明は、
テレビジョン放送波からテレビジョン放送信号を受信する受信手段を備える放送受信システムにおいて、
ユーザが、録画予約番組及び／又は視聴予約番組を指定するための指定手段と、
前記指定手段により指定された録画予約番組及び／又は視聴予約番組の放送日を示す日付欄に、所定の録画予約アイコン及び／又は視聴予約アイコンを表示させるためのアイコン情報を付加することによって、当該日付欄に、当該録画予約アイコン及び／又は視聴予約アイコンが表示された予約番組カレンダーを作成するカレンダー作成手段と、
前記カレンダー作成手段により作成された予約番組カレンダーを、表示手段に表示させるカレンダー表示制御手段と、
を備えることを特徴とする。
【０００９】
請求項２に記載の発明は、
請求項１に記載の放送受信システムにおいて、
前記カレンダー作成手段は、一の日に放送される録画予約番組が１つである場合、前記録画予約アイコンとして第１録画予約アイコンを表示させるためのアイコン情報を付加するとともに、一の日に放送される録画予約番組が複数である場合、前記録画予約アイコンとして第２録画予約アイコンを表示させるためのアイコン情報を付加し、一の日に放送される視聴予約番組が１つである場合、前記視聴予約アイコンとして第１視聴予約アイコンを表示させるためのアイコン情報を付加するとともに、一の日に放送される視聴予約番組が複数である場合、前記視聴予約アイコンとして第２視聴予約アイコンを表示させるためのアイコン情報を付加するアイコン情報付加手段を備えることを特徴とする。
【００１０】
請求項３に記載の発明は、
請求項１又は２に記載の放送受信システムにおいて、
前記カレンダー作成手段は、一の日を示す日付欄に付加された録画予約アイコンを表示させるためのアイコン情報に、録画予約番組数を表示させるための情報を含む第１番組数情報を付加し、一の日を示す日付欄に付加された視聴予約アイコンを表示させるためのアイコン情報に、視聴予約番組数を表示させるための情報を含む第２番組数情報を付加する番組数情報付加手段を備えることを特徴とする。
【００１１】
請求項４に記載の発明は、
請求項１〜３の何れか一項に記載の放送受信システムにおいて、
ユーザが、前記表示手段に表示された予約番組カレンダー中の一の日付欄、前記表示手段に表示された予約番組カレンダー中の一の日付欄に表示された録画予約アイコン、或いは、前記表示手段に表示された予約番組カレンダー中の一の日付欄に表示された視聴予約アイコンを選択するための選択手段と、
前記録画予約番組及び／又は視聴予約番組のリストを作成するリスト作成手段と、
前記リスト作成手段により作成されたリストを、前記表示手段に表示させるリスト表示制御手段と、
を備え、
前記リスト作成手段は、前記選択手段により日付欄が選択された場合、当該日付欄が示す日に放送される録画予約番組及び視聴予約番組のリストを作成し、前記選択手段により録画予約アイコンが選択された場合、当該録画予約アイコンが表示された日付欄が示す日に放送される録画予約番組のリストを作成し、前記選択手段により視聴予約アイコンが選択された場合、当該視聴予約アイコンが表示された日付欄が示す日に放送される視聴予約番組のリストを作成することを特徴とする。
【００１２】
請求項５に記載の発明は、
請求項１〜４の何れか一項に記載の放送受信システムにおいて、
ＥＰＧ（Electronic Program Guide）データを記憶するＥＰＧデータ記憶手段を備え、
前記カレンダー作成手段は、過去を示す日付欄と、現在及び未来を示す日付欄のうちの、ＥＰＧデータが前記ＥＰＧデータ記憶手段に記憶されている日を示す日付欄と、現在及び未来を示す日付欄のうちの、ＥＰＧデータが前記ＥＰＧデータ記憶手段に記憶されていない日を示す日付欄と、を識別するための日付欄識別情報を、各日付欄に付加する日付欄識別情報付加手段を備えることを特徴とする。
【００１３】
請求項６に記載の発明は、
請求項１〜５の何れか一項に記載の放送受信システムにおいて、
前記カレンダー作成手段は、一の日に放送される録画予約番組及び／又は視聴予約番組の中に放送時間が重複する番組がある場合、当該一の日を示す日付欄に、所定の重複予約情報を付加する重複予約情報付加手段を備えることを特徴とする。
【発明の効果】
【００１４】
本発明によれば、ユーザが、録画予約番組及び／又は視聴予約番組を指定するための指定手段と、指定手段により指定された録画予約番組及び／又は視聴予約番組の放送日を示す日付欄に、所定の録画予約アイコン及び／又は視聴予約アイコンを表示させるためのアイコン情報を付加することによって、当該日付欄に、当該録画予約アイコン及び／又は視聴予約アイコンが表示された予約番組カレンダーを作成するカレンダー作成手段と、カレンダー作成手段により作成された予約番組カレンダーを、表示手段に表示させるカレンダー表示制御手段と、を備えている。
したがって、本発明の放送受信システムにより表示される予約番組カレンダーにおいては、録画予約番組の放送日は録画予約アイコンによって識別でき、視聴予約番組の放送日は視聴予約アイコンによって識別できるため、録画予約番組や視聴予約番組の放送日が一見で分かるとともに、予約番組名等が表示されたカレンダーよりも見易い。すなわち、本発明の放送受信システムは、使い勝手の良い録画予約番組及び／又は視聴予約番組の一覧を表示することができる。
【図面の簡単な説明】
【００１５】
【図１】本実施形態のＨＤＤ内蔵テレビの機能的構成の一例を示す図である。
【図２】予約番組カレンダー中の日付欄に表示されるアイコン及びマークの一例を示す図である。
【図３】予約番組カレンダー画面の一例であって、日付欄にフォーカスがある場合を示す図である。
【図４】予約番組カレンダー画面の一例であって、録画予約アイコンにフォーカスがある場合を示す図である。
【図５】予約番組カレンダー画面の一例であって、視聴予約アイコンにフォーカスがある場合を示す図である。
【図６】各種番組数を説明するためのポップアップ表示が表示された、予約番組カレンダー画面の一例を示す図である。
【図７】予約番組リスト画面の一例を示す図である。
【図８】録画予約番組リスト画面の一例を示す図である。
【図９】視聴予約番組リスト画面の一例を示す図である。
【図１０】予約情報画面の一例を示す図である。
【図１１】本実施形態のＨＤＤ内蔵テレビによる、予約番組カレンダーの表示に関する処理を説明するためのフローチャートである。
【図１２】本実施形態のＨＤＤ内蔵テレビによる、予約番組のリスト、録画予約番組のリスト又は視聴予約番組のリストの表示に関する処理を説明するためのフローチャートである。
【発明を実施するための形態】
【００１６】
以下、図を参照して、本発明を実施するための最良の形態を詳細に説明する。なお、発明の範囲は、図示例に限定されない。
本実施形態では、放送受信システムとしてＨＤＤ（Hard Disk Drive）内蔵テレビを例示して説明することとする。
【００１７】
本実施形態のＨＤＤ内蔵テレビ１は、例えば、内蔵されたＨＤＤ１４にユーザの録画予約に従って録画予約番組を録画できるとともに、ユーザの視聴予約に従って視聴予約番組を出力部１７から出力できるテレビジョン受信装置である。
具体的には、ＨＤＤ内蔵テレビ１は、例えば、図１に示すように、アンテナ１１ａに接続されたチューナ１１と、信号復調部１２と、録画制御部１３と、ＨＤＤ１４と、出力制御部１５と、ＯＳＤ回路１６と、出力部１７と、リモコン１８ａ及びリモコン受信部１８と、メモリ部１９と、制御部２０と、等を備えて構成される。
【００１８】
チューナ１１は、制御部２０から入力される制御信号に従って、受信手段として、テレビジョン放送波からテレビジョン放送信号（例えば、地上デジタル放送信号、ＢＳデジタル放送信号、ＣＳデジタル放送信号）を受信する。
具体的には、アンテナ１１ａは、例えば、地上デジタル放送と、ＢＳデジタル放送と、ＣＳデジタル放送と、を受信可能に構成されている。チューナ１１は、そのアンテナ１１ａにより受信されたテレビジョン放送波から、所望の番組のチャンネルに対応する特定周波数帯域に存在するテレビジョン放送信号を受信し、そして、当該受信したテレビジョン放送信号を変調して、中間周波信号を信号復調部１２に出力する。
【００１９】
信号復調部１２は、制御部２０から入力される制御信号に従って、チューナ１１から入力されたテレビジョン放送信号（中間周波信号）に対してデジタル復調や誤り訂正などの所定の処理を施して、トランスポートストリームを録画制御部１３又は出力制御部１５に出力する。
【００２０】
録画制御部１３は、制御部２０から入力される制御信号に従って、チューナ１１により受信されたテレビジョン放送信号に基づく番組を、ＨＤＤ１４に録画させる。
具体的には、録画制御部１３は、信号復調部１２から入力されたテレビジョン放送信号（トランスポートストリーム）を解読して、当該トランスポートストリームを構成する各トランスポートパケットを判別し、そして、所望の番組に関連するトランスポートパケットにかかるデータにエンコード等の所定の処理を施して、ＨＤＤ１４に録画させる。
【００２１】
ＨＤＤ１４は、録画制御部１３により録画された番組を記憶する。
【００２２】
出力制御部１５は、制御部２０から入力される制御信号に従って、チューナ１１により受信されたテレビジョン放送信号に基づく番組を、出力部１７に出力させる。
具体的には、出力制御部１５は、信号復調部１２から入力されたテレビジョン放送信号（トランスポートストリーム）を解読して、当該トランスポートストリームを構成する各トランスポートパケットを判別し、そして、所望の番組に関連するトランスポートパケットにかかるデータを、音声データ、映像データ、ＰＳＩ（Program Specific Information：番組特定情報）、ＳＩ（Service Information：番組配列情報）等の複数のストリームに分離する。そして、当該分離された音声データにデコード等の所定の処理を施して、出力部１７が有する音声出力部１７ａに出力し、当該分離された映像データにデコード等の所定の処理を施して、出力部１７が有する映像表示部１７ｂに出力する。
【００２３】
ここで、ＰＳＩは、例えば、ＰＭＴ（Program Map Table）、ＰＡＴ（Program Association Table）、ＮＩＴ（Network Information Table）、ＣＡＴ（Conditional Access Table）等のテーブルから構成されている。ＰＭＴ内には、著作権保護方式（例えば、ダビング１０方式、コピーワンス方式、コピーネバー方式、コピーフリー方式）を識別する記述子が記載されている。
また、ＳＩは、ＳＤＴ（Service Description Table）、ＥＩＴ（Event Information Table）、ＢＡＴ（Bouquet Association Table）、ＴＤＴ（Time Date Table）等の各種テーブル等が含まれている。ＥＩＴには、現在放送中の番組及び８日以内に放送予定の番組に関する番組情報（例えば、タイトル、チャンネル、放送局、ジャンル、放送時刻（放送開始時刻・放送終了時刻）、出演者、番組内容等）が記述されている。制御部２０は、このＳＩを、例えば、ＥＰＧデータとしてメモリ部１９のＥＰＧデータ記憶ファイル１９ａに記憶させるようになっている。
【００２４】
また、出力制御部１５は、制御部２０から入力される制御信号に従って、ＨＤＤ１４に記録されている録画済み番組を、出力部１７に出力させる。
【００２５】
ＯＳＤ回路１６は、制御部２０から入力される制御信号に従って、出力部１７の映像表示部１７ｂに所定のオンスクリーンディスプレイ（ＯＳＤ）表示をさせるためのＯＳＤ表示信号を、出力制御部１５から映像表示部１７ｂに出力される映像データに合成する。
【００２６】
出力部１７が有する音声出力部１７ａは、例えば、スピーカ機器であり、出力制御部１５から出力された音声データに基づく音声を出力する。
【００２７】
出力部１７が有する映像表示部１７ｂは、例えば、液晶表示機器であり、表示手段として、出力制御部１５から出力された映像データに基づく映像を表示したり、出力制御部１５から出力されてＯＳＤ回路１６によりＯＳＤ表示信号が合成された映像データに基づく映像を表示したりする。
【００２８】
リモコン受信部１８は、リモコン１８ａから送信された操作信号を受信して、制御部２０に出力する。
【００２９】
リモコン１８ａは、ＨＤＤ内蔵テレビ１を遠隔操作するリモートコントローラである。リモコン１８ａは、各種操作ボタンを備えており、ユーザにより操作ボタンが操作されると、所定の操作信号を送信するよう構成されている。
ここで、リモコン１８ａは、操作ボタンとして、「青色」、「赤色」、「緑色」、「黄色」の各カラーボタン、「↑」、「↓」、「←」、「→」の各カーソルボタン、「決定」ボタン、「戻る」ボタン、「番組表」ボタン等を備えている。
【００３０】
具体的には、リモコン１８ａは、指定手段として、ユーザが、録画予約番組及び／又は視聴予約番組を指定する際に操作される。
より具体的には、ユーザは、リモコン１８ａを操作して、映像表示部１７ｂにＯＳＤ表示されたＥＰＧ画面において録画予約番組や視聴予約番組を指定したり、番組の放送時刻（放送開始時刻・放送終了時刻）等を入力することによって録画予約番組や視聴予約番組を指定したりする。また、ユーザは、リモコン１８ａを操作して、その指定した録画予約番組や視聴予約番組を、例えば、毎週予約するよう指定することもできる。
そして、録画予約番組や視聴予約番組が指定されると、制御部２０は、例えば、その指定された番組の番組情報（ＳＩ）を、メモリ部１９のＥＰＧデータ記憶ファイル１９ａから取得して、メモリ部１９の予約番組情報記憶ファイル１９ｂに記憶させるようになっている。
【００３１】
また、リモコン１８ａは、選択手段として、ユーザが、映像表示部１７ｂに表示された予約番組カレンダー中の一の日付欄、映像表示部１７ｂに表示された予約番組カレンダー中の一の日付欄に表示された録画予約アイコン、或いは、映像表示部１７ｂに表示された予約番組カレンダー中の一の日付欄に表示された視聴予約アイコンを選択する際に操作される。
そして、日付欄と、録画予約アイコンと、視聴予約アイコンと、のうちの何れかが選択されると、制御部２０は、例えば、録画予約番組及び／又は視聴予約番組のリストを作成して、映像表示部１７ｂに表示させるようになっている。
【００３２】
メモリ部１９は、例えば、図１に示すように、ＥＰＧデータ記憶ファイル１９ａと、予約番組情報記憶ファイル１９ｂと、を備えている。
【００３３】
ＥＰＧデータ記憶ファイル１９ａは、ＥＰＧデータ記憶手段として、ＥＰＧデータを記憶する。
このＥＰＧデータ記憶ファイル１９ａに記憶されているＥＰＧデータは、制御部２０が、ＥＰＧ画面を映像表示部１７ｂにＯＳＤ表示させる際等に使用される。
【００３４】
予約番組情報記憶ファイル１９ｂは、ユーザによるリモコン１８ａ操作により指定された予約番組の番組情報（例えば、タイトル、チャンネル、放送局、ジャンル、放送時刻（放送開始時刻・放送終了時刻）、出演者、番組内容等）を記憶する。
この予約番組情報記憶ファイル１９ｂに記憶されている番組情報には、例えば、予約種類識別データが付与されており、この予約種類識別データによって、制御部２０は、録画予約番組の番組情報であるか、視聴予約番組の番組情報であるか、を識別するようになっている。
また、この予約番組情報記憶ファイル１９ｂに記憶されている番組情報（録画予約番組の番組情報）には、例えば、録画成否識別情報が付与されており、この録画成否識別データによって、制御部２０は、録画が完了した番組の番組情報であるか、録画が失敗した番組の番組情報であるか、を識別できるようになっている。
【００３５】
この予約番組情報記憶ファイル１９ｂに記憶されている番組情報は、ユーザによるリモコン１８ａ操作によって、予約番組情報記憶ファイル１９ｂから消去されるようになっている。
【００３６】
また、この予約番組情報記憶ファイル１９ｂに記憶されている番組情報は、所定のタイミングで予約番組情報記憶ファイル１９ｂから自動消去されるようになっている。
具体的には、制御部２０は、例えば、月の初日（１日（ついたち））になると、３か月前よりも以前に放送された番組の番組情報を消去するようになっている。すなわち、制御部２０は、例えば、２００９年１月１日になると、２００８年１２月、１１月及び１０月に放送された番組の番組情報は残して、２００８年９月以前に放送された番組の番組情報を消去するようになっている。
なお、番組情報を消去するタイミングは、月の初日に限ることはなく任意である。また、消去する番組は、３か月前よりも以前に放送された番組の番組情報に限ることはなく、放送日が過去の番組情報であれば任意である。
【００３７】
制御部２０は、ＨＤＤ内蔵テレビ１を構成する各部を集中制御する。
具体的には、制御部２０は、例えば、図１に示すように、ＣＰＵ（Central Processing Unit）２０１と、ＲＡＭ（Random Access Memory）２０２と、計時部２０３と、記憶部２０４と、等を備えて構成される。
【００３８】
ＣＰＵ２０１は、例えば、記憶部２０４に記憶されたＨＤＤ内蔵テレビ１用の各種処理プログラムに従って各種の制御動作を行う。
【００３９】
ＲＡＭ２０２は、例えば、ＣＰＵ２０１によって実行される処理プログラムなどを展開するためのプログラム格納領域、入力データや上記処理プログラムが実行される際に生じる処理結果などを格納するデータ格納領域等を備える。
【００４０】
計時部２０３は、例えば、計時した現在日時データを、ＣＰＵ２０１に出力する。
【００４１】
記憶部２０４は、例えば、ＨＤＤ内蔵テレビ１で実行可能なシステムプログラム、当該システムプログラムで実行可能な各種処理プログラム、これら各種処理プログラムを実行する際に使用されるデータ、ＣＰＵ２０１によって演算処理された処理結果のデータ等を記憶する。なお、プログラムは、コンピュータが読み取り可能なプログラムコードの形で記憶部２０４に記憶されている。
【００４２】
具体的には、記憶部２０４は、例えば、図１に示すように、録画プログラム２０４ａと、視聴プログラム２０４ｂと、カレンダー作成プログラム２０４ｃと、カレンダー表示制御プログラム２０４ｄと、リスト作成プログラム２０４ｅと、リスト表示制御プログラム２０４ｆと、等を記憶している。
【００４３】
録画プログラム２０４ａは、ユーザによるリモコン１８ａ操作により指定された録画予約番組をＨＤＤ１４に録画させる機能を、ＣＰＵ２０１に実現させる。
具体的には、ＣＰＵ２０１は、メモリ部１９の予約番組情報記憶ファイル１９ｂに記憶された録画予約番組の番組情報に基づいて、チューナ１１、信号復調部１２、録画制御部１３等に制御信号を入力して、ユーザにより指定された録画予約番組をＨＤＤ１４に録画させる。
【００４４】
視聴プログラム２０４ｂは、ユーザによるリモコン１８ａ操作により指定された視聴予約番組を出力部１７から出力させる機能を、ＣＰＵ２０１に実現させる。
具体的には、ＣＰＵ２０１は、メモリ部１９の予約番組情報記憶ファイル１９ｂに記憶された視聴予約番組の番組情報に基づいて、チューナ１１、信号復調部１２、出力制御部１５等に制御信号を入力して、ユーザにより指定された視聴予約番組を出力部１７から出力させる。
【００４５】
カレンダー作成プログラム２０４ｃは、ユーザによるリモコン１８ａ操作により指定された録画予約番組及び／又は視聴予約番組の放送日を示す日付欄に、所定の録画予約アイコン及び／又は視聴予約アイコンが表示された予約番組カレンダーを作成する機能を、ＣＰＵ２０１に実現させる。
【００４６】
具体的には、ＣＰＵ２０１は、月別のカレンダーを生成する。より具体的には、ＣＰＵ２０１は、例えば、図３に示すような、１行で一週間を示し、１列で同一曜日の異なる日を示すように日付欄が配置された、月別のカレンダーを生成する。
なお、月別のカレンダーは、予めメモリ部１９等に記憶されていても良い。この場合、ＣＰＵ２０１は、月別のカレンダーを生成するのではなく、メモリ部１９等から取得するようにしても良い。
【００４７】
次に、ＣＰＵ２０１は、生成された月別のカレンダー中の、ユーザによるリモコン１８ａ操作により指定された録画予約番組及び／又は視聴予約番組（すなわち、予約番組情報記憶ファイル１９ｂに番組情報が記憶されている予約番組（残りの予約番組））の放送日を示す日付欄に、所定の録画予約アイコン及び／又は視聴予約アイコンを表示させるためのアイコン情報を付加する。
より具体的には、ＣＰＵ２０１は、一の日に放送される録画予約番組（残りの録画予約番組）が１つである場合、録画予約アイコンとして第１録画予約アイコン（例えば、図２に示す「単数録画予約アイコン」）を表示させるためのアイコン情報を付加するとともに、一の日に放送される録画予約番組が複数である場合、録画予約アイコンとして第２録画予約アイコン（例えば、図２に示す「複数録画予約アイコン」）を表示させるためのアイコン情報を付加する。また、ＣＰＵ２０１は、一の日に放送される視聴予約番組（残りの視聴予約番組）が１つである場合、視聴予約アイコンとして第１視聴予約アイコン（例えば、図２に示す「単数視聴予約アイコン」）を表示させるためのアイコン情報を付加するとともに、一の日に放送される視聴予約番組が複数である場合、視聴予約アイコンとして第２視聴予約アイコン（例えば、図２に示す「複数視聴予約アイコン」）を表示させるためのアイコン情報を付加する。
【００４８】
次に、ＣＰＵ２０１は、一の日に放送される録画予約番組（残りの録画予約番組）が複数である場合、当該一の日を示す日付欄に付加された「複数録画予約アイコン」を表示させるためのアイコン情報に、第１番組数情報を付加する。
ここで、第１番組数情報は、例えば、録画予約番組数（残りの録画予約番組数（Ｘ））と、録画完了番組数（Ｙ）と、録画失敗番組数（Ｚ）と、を表示させるための情報を含む情報である。
残りの録画予約番組数（Ｘ）は、一の日に放送される録画予約番組のうちの放送が未だに終了していない番組の総数を表し、例えば、図２に示すように、「複数録画予約アイコン」の右下に表示される。
録画完了番組数（Ｙ）は、一の日に放送された録画予約番組のうちの録画が完了した番組の総数を表し、例えば、図２に示すように、「複数録画予約アイコン」の右上に表示される。なお、本実施形態においては、図３（例えば、１月１１日や１月１８日）に示すように、録画が完了した番組がない場合、録画完了番組数（Ｙ）を表示しないようにしたが、これに限ることはなく、録画完了番組数（Ｙ）として、例えば「０」を表示するようにしても良い。
録画失敗番組数（Ｚ）は、一の日に放送された録画予約番組のうちの録画が失敗した番組の総数を表し、例えば、図２に示すように、「複数録画予約アイコン」の右上の録画完了番組数（Ｙ）よりも右側に表示される。なお、本実施形態においては、図３（例えば、１月１１日や１月１８日）に示すように、録画が失敗した番組がない場合、録画失敗番組数（Ｚ）を表示しないようにしたが、これに限ることはなく、録画失敗番組数（Ｚ）として、例えば「０」を表示するようにしても良い。
【００４９】
残りの録画予約番組数（Ｘ）と、録画完了番組数（Ｙ）と、録画失敗番組数（Ｚ）と、は識別可能となるように、例えば、それぞれ異なる色で表示されるようになっている。具体的には、残りの録画予約番組数（Ｘ）は、例えば青色、録画完了番組数（Ｙ）は、例えば緑色、録画失敗番組数（Ｚ）は、例えば灰色で表示されるようになっている。
なお、少なくとも残りの録画予約番組数（Ｘ）が表示されるのであれば、録画完了番組数（Ｙ）や録画失敗番組数（Ｚ）は表示しなくても良い。この場合、第１番組数情報には、録画完了番組数（Ｙ）や録画失敗番組数（Ｚ）を表示させるための情報が含まれていなくても良い。
【００５０】
また、ＣＰＵ２０１は、一の日に放送される視聴予約番組（残りの視聴予約番組）が複数である場合、当該一の日を示す日付欄に付加された「複数視聴予約アイコン」を表示させるためのアイコン情報に、第２番組数情報を付加する。
ここで、第２番組数情報は、例えば、視聴予約番組数（残りの視聴予約番組数（Ｘ））を表示させるための情報を含む情報である。
残りの視聴予約番組数（Ｘ）は、一の日に放送される視聴予約番組のうちの放送が未だに終了していない番組の総数を表し、例えば、図２に示すように、「複数視聴予約アイコン」の右下に表示される。
【００５１】
次に、ＣＰＵ２０１は、一の日に放送される録画予約番組及び／又は視聴予約番組の中に放送時間が重複する番組がある場合、当該一の日を示す日付欄に、所定の重複予約情報を付加する。
より具体的には、ＣＰＵ２０１は、一の日に放送される複数の録画予約番組（残りの録画予約番組）の中に放送時間が重複する番組がある場合、一の日に放送される複数の視聴予約番組（残りの視聴予約番組）の中に放送時間が重複する番組がある場合、或いは、一の日に放送される一又は複数の録画予約番組（残りの録画予約番組）並びに一又は複数の視聴予約番組（残りの視聴予約番組）の中に放送時間が重複する番組がある場合に、当該一の日を示す日付欄に、所定の重複予約マーク（例えば、図２に示す「重複予約マーク」）を表示させるための情報を含む重複予約情報を付加する。
【００５２】
また、ＣＰＵ２０１は、予約番組情報記憶ファイル１９ｂに記憶されている放送済みの予約番組の番組情報を参照して、一の日に放送される録画予約番組の放送が全て終了した場合、当該一の日を示す日付欄に、所定の放送済み録画予約情報を付加するとともに、一の日に放送される視聴予約番組の放送が全て終了した場合、当該一の日を示す日付欄に、所定の放送済み視聴予約情報を付加する。
ここで、放送済み録画予約情報は、例えば、所定の放送済み録画予約マーク（例えば、図２に示す「放送済み録画予約マーク」）を表示させるための情報を含む情報である。
また、放送済み視聴予約マークは、例えば、所定の放送済み視聴予約マーク（例えば、図２に示す「放送済み視聴予約マーク」）を表示させるための情報を含む情報である。
【００５３】
次に、ＣＰＵ２０１は、過去を示す日付欄（第１日付欄）と、現在及び未来を示す日付欄のうちの、ＥＰＧデータがＥＰＧデータ記憶ファイル１９ａに記憶されている日を示す日付欄（第２日付欄）と、現在及び未来を示す日付欄のうちの、ＥＰＧデータがＥＰＧデータ記憶ファイル１９ａに記憶されていない日を示す日付欄（第３日付欄）と、を識別するための日付欄識別情報を、各日付欄に付加する。
より具体的には、第１日付欄と、第２日付欄と、第３日付欄と、は識別可能となるように、例えば、それぞれ異なる色で表示されるようになっている。すなわち、例えば、現在の日付が２００９年１月７日であり、ＥＰＧデータ記憶ファイル１９ａに２００９年１月７日〜２００９年１月１４日のＥＰＧデータが記憶されている場合、ＣＰＵ２０１は、第１日付欄（２００９年１月６日以前を示す日付欄）が、例えば濃い灰色で表示され、第２日付欄（２００９年１月７日〜２００９年１月１４日を示す日付欄）が、例えば白色で表示され、第３日付欄（２００９年１月１５日以降を示す日付欄）が、例えば薄い灰色で表示されるように、各日付欄に日付欄識別情報を付加する。
ＣＰＵ２０１は、かかるカレンダー作成プログラム２０４ｃを実行することによって、カレンダー作成手段（アイコン情報付加手段、番組数情報付加手段、重複予約情報付加手段、日付欄識別情報付加手段）として機能する。
【００５４】
カレンダー表示制御プログラム２０４ｄは、カレンダー作成プログラム２０４ｃを実行したＣＰＵ２０１により作成された予約番組カレンダーを、映像表示部１７ｂに表示させる機能を、ＣＰＵ２０１に実現させる。
【００５５】
具体的には、ＣＰＵ２０１は、例えば、図３に示すように、予約番組カレンダーＣ１や番組情報表示欄Ｃ２などが表示された予約番組カレンダー画面を、ＯＳＤ回路１６を介して映像表示部１７ｂに表示させる。
ここで、ＣＰＵ２０１は、予約番組カレンダーＣ１中の一の日付欄と、予約番組カレンダーＣ１中の一の日付欄に表示された録画予約アイコンと、予約番組カレンダーＣ１中の一の日付欄に表示された視聴予約アイコンと、のうちの何れか１つを太枠Ｆで囲うことによって、フォーカスするようになっている。
なお、本実施形態では、フォーカスされた日付欄を太枠Ｆで囲うことによって、フォーカスされた日付欄を強調するようにしたが、フォーカスされた日付欄と、フォーカスされていない日付欄と、が識別可能であれば、フォーカスされた日付欄の強調の仕方は任意であり、フォーカスされた日付欄を、例えば、フォーカスされていない日付欄と異なる色（例えば黄色）で表示するようにしても良いし、太枠Ｆで囲うとともにフォーカスされていない日付欄と異なる色で表示するようにしても良い。フォーカスされた録画予約アイコンや視聴予約アイコンについても同様である。
【００５６】
フォーカスの初期位置は、例えば、現在を示す日付欄である。フォーカスは、例えば、リモコン１８ａに設けられた「↑」、「↓」、「←」、「→」の各カーソルボタンの操作によって移動する。
具体的には、例えば、「↑」ボタンが長押しされると、ＣＰＵ２０１は、フォーカスを１週間前に移動させる。すなわち、月の１週目以外の週に含まれる何れかの日付欄にフォーカスがある時は、先週の日付欄のうちの、フォーカスのある日付欄の日と同じ曜日の日付欄に移動させる。月の１週目に含まれる何れかの日付欄にフォーカスがある時は、先月の最終週の日付欄のうちの、フォーカスのある日付欄の日と同じ曜日の日付欄に移動させる。
また、例えば、「↓」ボタンが長押しされると、ＣＰＵ２０１は、フォーカスを１週間後に移動させる。すなわち、月の最終週以外の週に含まれる何れかの日付欄にフォーカスがある時は、来週の日付欄のうちの、フォーカスのある日付欄の日と同じ曜日の日付欄に移動させる。月の最終週に含まれる何れかの日付欄にフォーカスがある時は、来月の１週目の日付欄のうちの、フォーカスのある日付欄の日と同じ曜日の日付欄に移動させる。
また、例えば、「←」ボタンが長押しされると、ＣＰＵ２０１は、フォーカスを前日に移動させる。カレンダーの左端の日付欄（図３等においては曜日が日曜日の日付欄）にフォーカスがある時は、前日の日付欄（図３等においては曜日が土曜日の日付欄）に移動させる。月の初日を示す日付欄にフォーカスがある時は、先月の末日を示す日付欄に移動させる。
また、例えば、「→」ボタンが長押しされると、ＣＰＵ２０１は、フォーカスを翌日に移動させる。カレンダーの右端の日付欄（図３等においては曜日が土曜日の日付欄）にフォーカスがある時は、翌日の日付欄（図３等においては曜日が日曜日の日付欄）に移動させる。月の末日を示す日付欄にフォーカスがある時は、来月の初日を示す日付欄に移動させる。
【００５７】
そして、例えば、「←」ボタンが短押しされると、ＣＰＵ２０１は、フォーカスを、フォーカスされた日付欄に表示されている録画予約アイコンに移動させる。具体的には、例えば、図３に示す予約番組カレンダー画面が表示されている状態で、「←」ボタンが短押しされると、ＣＰＵ２０１は、例えば、図４に示すように、録画予約アイコンにフォーカスを移動させる。なお、フォーカスされた日付欄に録画予約アイコンが表示されていない場合は、移動先がないため、フォーカスを移動させないようになっている。
また、例えば、「→」ボタンが短押しされると、ＣＰＵ２０１は、フォーカスを、フォーカスされた日付欄に表示されている視聴予約アイコンに移動させる。具体的には、例えば、図３に示す予約番組カレンダー画面が表示されている状態で、「→」ボタンが短押しされると、ＣＰＵ２０１は、例えば、図５に示すように、視聴予約アイコンにフォーカスを移動させる。なお、フォーカスされた日付欄に視聴予約アイコンが表示されていない場合は、移動先がないため、フォーカスを移動させないようになっている。
【００５８】
さらに、フォーカスは、例えば、リモコン１８ａに設けられた各カラーボタンの操作によって移動する。
具体的には、例えば、図３等に示す「青」ボタン操作指示表示Ｃ３に従って、「青」ボタンが短押しされると、ＣＰＵ２０１は、フォーカスを１か月前に移動させる。
また、例えば、図３等に示す「赤」ボタン操作指示表示Ｃ４に従って、「赤」ボタンが短押しされると、ＣＰＵ２０１は、フォーカスを１か月後に移動させる。
【００５９】
また、ＣＰＵ２０１は、フォーカスが日付欄にある場合、そのフォーカスがある日付欄の日が放送日の録画予約番組（残りの録画予約番組）と、そのフォーカスがある日付欄の日が放送日の視聴予約番組（残りの視聴予約番組）と、のうちの何れか１つの番組情報を、例えば予約番組情報記憶ファイル１９ｂから取得して、番組情報表示欄Ｃ２に表示させるようになっている。
【００６０】
フォーカスが日付欄にある場合、番組情報表示欄Ｃ２に表示される初期の番組情報は、例えば、放送開始時刻が最も早い予約番組の番組情報である。そして、予約番組が複数ある場合、番組情報表示欄Ｃ２に表示される番組情報は、例えば、リモコン１８ａに設けられた各カラーボタンの操作によって切り替わる。
具体的には、例えば、予約番組（残りの予約番組）を放送開始時刻順に並べて、放送開始時刻が早い順に予約番号「１」、「２」、…を付与する。そして、番組情報表示欄Ｃ２に表示されている番組情報が、予約番号が「ｎ」の予約番組の番組情報である場合、例えば、図３に示す「緑」ボタン操作指示表示Ｃ５に従って、「緑」ボタンが短押しされると、ＣＰＵ２０１は、番組情報表示欄Ｃ２に表示させる番組情報を、予約番号が「ｎ−１」の予約番組の番組情報に切り替え、例えば、図３に示す「黄」ボタン操作指示表示Ｃ６に従って、「黄」ボタンが短押しされると、ＣＰＵ２０１は、番組情報表示欄Ｃ２に表示させる番組情報を、予約番号が「ｎ＋１」の予約番組の番組情報に切り替える。
【００６１】
さらに、フォーカスが日付欄にある場合、ＣＰＵ２０１は、例えば、図３に示すように、予約数表示欄Ｃ７に「番組情報表示欄Ｃ２に番組情報が表示されている予約番組の予約番号／残りの予約番組の総数」を表示させるようになっている。したがって、「緑」ボタンや「黄」ボタンが短押しされて、番組情報表示欄Ｃ２に表示される番組情報が切り替わったり、予約番組の放送終了、予約の取り消し、新たな予約等によって残りの予約番組の総数が切り替わったりすると、予約数表示欄Ｃ７に表示される数値も切り替わるようになっている。
【００６２】
また、ＣＰＵ２０１は、フォーカスが録画予約アイコンにある場合、そのフォーカスがある録画予約アイコンが表示された日付欄の日が放送日の録画予約番組（残りの録画予約番組）のうちの何れか１つの番組情報を、例えば予約番組情報記憶ファイル１９ｂから取得して、番組情報表示欄Ｃ２に表示させるようになっている。
【００６３】
フォーカスが録画予約アイコンにある場合、番組情報表示欄Ｃ２に表示される初期の番組情報は、例えば、放送開始時刻が最も早い録画予約番組の番組情報である。そして、録画予約番組が複数ある場合、番組情報表示欄Ｃ２に表示される番組情報は、例えば、リモコン１８ａに設けられた各カラーボタンの操作によって切り替わる。
具体的には、例えば、録画予約番組（残りの録画予約番組）を放送開始時刻順に並べて、放送開始時刻が早い順に予約番号「１」、「２」、…を付与する。そして、番組情報表示欄Ｃ２に表示されている番組情報が、予約番号が「ｎ」の録画予約番組の番組情報である場合、例えば、図４に示す「緑」ボタン操作指示表示Ｃ５に従って、「緑」ボタンが短押しされると、ＣＰＵ２０１は、番組情報表示欄Ｃ２に表示させる番組情報を、予約番号が「ｎ−１」の録画予約番組の番組情報に切り替え、例えば、図４に示す「黄」ボタン操作指示表示Ｃ６に従って、「黄」ボタンが短押しされると、ＣＰＵ２０１は、番組情報表示欄Ｃ２に表示させる番組情報を、予約番号が「ｎ＋１」の録画予約番組の番組情報に切り替える。
フォーカスが視聴予約アイコンにある場合についても同様である。
【００６４】
さらに、フォーカスが録画予約アイコンにある場合、ＣＰＵ２０１は、例えば、図４に示すように、予約数表示欄Ｃ７に「番組情報表示欄Ｃ２に番組情報が表示されている録画予約番組の予約番号／残りの録画予約番組の総数」を表示させるようになっている。したがって、「緑」ボタンや「黄」ボタンが短押しされて、番組情報表示欄Ｃ２に表示される番組情報が切り替わったり、録画予約番組の放送終了、録画予約の取り消し、新たな録画予約等によって残りの録画予約番組の総数が切り替わったりすると、予約数表示欄Ｃ７に表示される数値も切り替わるようになっている。
フォーカスが視聴予約アイコンにある場合についても同様である。
【００６５】
また、ＣＰＵ２０１は、ユーザによるリモコン１８ａ操作により「複数録画予約アイコン」が表示された一の日付欄が選択された場合、或いは、一の「複数録画予約アイコン」が選択された場合、例えば、図６に示すように、当該「複数録画予約アイコン」を表示するためのアイコン情報に付加された第１番組数情報に基づく数値を説明するためのポップアップ表示Ｐを、例えば、予約番組カレンダー画面に重畳させて表示させる。
ここで、「複数録画予約アイコン」が表示された一の日付欄が選択された場合とは、例えば、予約番組カレンダー画面において、「複数録画予約アイコン」が表示された一の日付欄にフォーカスがある状態で、リモコン１８ａに設けられた「決定」ボタンが長押しされた場合である。
また、一の「複数録画予約アイコン」が選択された場合とは、例えば、予約番組カレンダー画面において、一の「複数録画予約アイコン」にフォーカスがある状態で、リモコン１８ａに設けられた「決定」ボタンが長押しされた場合である。
そして、ＣＰＵ２０１は、例えば、再度「決定」ボタンが長押しされた場合、或いは、ユーザによりリモコン１８ａ操作によってフォーカスが移動された場合に、当該ポップアップ表示Ｐを消去することとする。
ＣＰＵ２０１は、かかるカレンダー表示制御プログラム２０４ｄを実行することによって、カレンダー表示制御手段として機能する。
【００６６】
リスト作成プログラム２０４ｅは、録画予約番組及び／又は視聴予約番組のリストを作成する機能を、ＣＰＵ２０１に実現させる。
【００６７】
具体的には、ＣＰＵ２０１は、ユーザによるリモコン１８ａ操作により一の日付欄が選択された場合（例えば、予約番組カレンダー画面において、フォーカスが一の日付欄にある状態で、リモコン１８ａに設けられた「決定」ボタンが短押しされた場合）、当該一の日付欄が示す日に放送される録画予約番組（残りの録画予約番組）及び視聴予約番組（残りの視聴予約番組）の番組情報を、例えば予約番組情報記憶ファイル１９ｂから取得して、予約番号順（例えば、放送開始時刻順）に並べて、予約番組のリストを作成する。
【００６８】
また、ＣＰＵ２０１は、ユーザによるリモコン１８ａ操作により一の録画予約アイコンが選択された場合（例えば、予約番組カレンダー画面において、フォーカスが一の録画予約アイコンにある状態で、リモコン１８ａに設けられた「決定」ボタンが短押しされた場合）、当該一の録画予約アイコンが表示された日付欄が示す日に放送される録画予約番組（残りの録画予約番組）の番組情報を、例えば予約番組情報記憶ファイル１９ｂから取得して、予約番号順（例えば、放送開始時刻順）に並べて、録画予約番組のリストを作成する。
【００６９】
また、ＣＰＵ２０１は、ユーザによるリモコン１８ａ操作により一の視聴予約アイコンが選択された場合（例えば、予約番組カレンダー画面において、フォーカスが一の視聴予約アイコンにある状態で、リモコン１８ａに設けられた「決定」ボタンが短押しされた場合）、当該一の視聴予約アイコンが表示された日付欄が示す日に放送される視聴予約番組（残りの録画予約番組）の番組情報を、例えば予約番組情報記憶ファイル１９ｂから取得して、予約番号順（例えば、放送開始時刻順）に並べて、視聴予約番組のリストを作成する。
ＣＰＵ２０１は、かかるリスト作成プログラム２０４ｅを実行することによって、リスト作成手段として機能する。
【００７０】
リスト表示制御プログラム２０４ｆは、リスト作成プログラム２０４ｅを実行したＣＰＵ２０１により作成されたリストを、映像表示部１７ｂに表示させる機能を、ＣＰＵ２０１に実現させる。
【００７１】
具体的には、ＣＰＵ２０１は、ユーザによるリモコン１８ａ操作により日付欄が選択されて、予約番組のリストが作成されると、例えば、図７に示すように、当該作成された予約番組のリストを、ＯＳＤ回路１６を介して映像表示部１７ｂに表示させる。
また、ＣＰＵ２０１は、ユーザによるリモコン１８ａ操作により録画予約アイコンが選択されて、録画予約番組のリストが作成されると、例えば、図８に示すように、当該作成された録画予約番組のリストを、ＯＳＤ回路１６を介して映像表示部１７ｂに表示させる。
また、ＣＰＵ２０１は、ユーザによるリモコン１８ａ操作により視聴予約アイコンが選択されて、視聴予約番組のリストが作成されると、例えば、図９に示すように、当該作成された視聴予約番組のリストを、ＯＳＤ回路１６を介して映像表示部１７ｂに表示させる。
【００７２】
ここで、ＣＰＵ２０１は、リスト中の一の番組情報欄を太枠Ｆで囲うことによって、フォーカスするようになっている。
なお、本実施形態では、フォーカスされた番組情報欄を太枠Ｆで囲うことによって、フォーカスされた番組情報欄を強調するようにしたが、フォーカスされた番組情報欄と、フォーカスされていない番組情報欄と、が識別可能であれば、フォーカスされた日付欄の強調の仕方は任意である。
【００７３】
フォーカスの初期位置は、例えば、放送開始時刻が最も早い予約番組の番組情報を示す番組情報欄である。フォーカスは、例えば、リモコン１８ａに設けられた「↑」、「↓」の各カーソルボタンの操作によって移動する。
【００７４】
そして、ＣＰＵ２０１は、ユーザによるリモコン１８ａ操作により一の番組情報欄が選択された場合（例えば、予約番組リスト画面、録画予約番組リスト画面又は視聴予約番組リスト画面において、フォーカスが一の番組情報欄にある状態で、リモコン１８ａに設けられた「決定」ボタンが短押しされた場合）、例えば、図１０に示すように、当該一の番組情報欄に番組情報が示された予約番組（以下「予約番組Ａ」という）の予約情報が表示された予約情報画面を、映像表示部１７ｂにＯＳＤ表示させる。
予約情報画面では、例えば、リモコン１８ａに設けられた各カーソルボタンや「決定」ボタンの操作によってフォーカス（太枠Ｆ）を移動させることにより、「予約方法」、「音声切替」、「映像切替」、「追従設定」、「番組内容」、「予約登録」又は「予約削除」を指定できるようになっている。
「予約方法」を指定すると、例えば、録画予約にするか、視聴予約にするか、を選択できるようになっている。
また、「追従設定」を指定すると、追従するか否かを選択できるようになっている。例えば、予約番組Ａの前に放送された番組が延長等して、予約番組Ａの放送時間がずれた場合、それに合わせて録画時刻（録画開始時刻・録画終了時刻）や視聴時刻（視聴開始時刻）をずらしたい場合は「追従する」を選択し、ずらしたくない場合は「追従しない」を選択することになる。
また、「番組内容」を指定すると、予約番組Ａの番組内容が表示された画面が、例えば、予約情報画面に重畳されて表示されるようになっている。
また、「予約登録」を指定すると、当該指定の時点に予約情報画面に表示されていた内容で、予約番組Ａが予約されることになる。
また、「予約削除」を指定すると、予約番組Ａの予約を取り消すようになっている。
【００７５】
また、ＣＰＵ２０１は、例えば、予約番組リスト画面において、リモコン１８ａに設けられた「←」、「→」の各カーソルボタンが操作された場合、日付を切り替えるとともに、当該日付の日に放送される予約番組（残りの録画予約番組及び残りの視聴予約番組）のリストを表示させるようになっている。
また、ＣＰＵ２０１は、例えば、録画予約番組リスト画面において、リモコン１８ａに設けられた「←」、「→」の各カーソルボタンが操作された場合、日付を切り替えるとともに、当該日付の日に放送される録画予約番組（残りの録画予約番組）のリストを表示させるようになっている。
また、ＣＰＵ２０１は、例えば、視聴予約番組リスト画面において、リモコン１８ａに設けられた「←」、「→」の各カーソルボタンが操作された場合、日付を切り替えるとともに、当該日付の日に放送される視聴予約番組（残りの視聴予約番組）のリストを表示させるようになっている。
ＣＰＵ２０１は、かかるリスト表示制御プログラム２０４ｆを実行することによって、リスト表示制御手段として機能する。
【００７６】
＜予約番組カレンダー表示処理＞
次に、ＨＤＤ内蔵テレビ１による予約番組カレンダーの表示に関する処理について、図１１を参照して説明する。
【００７７】
まず、ＣＰＵ２０１は、ユーザによるリモコン１８ａ操作によって、予約番組カレンダーを表示するよう指示されたか否かを判断する（ステップＳ１１）。
【００７８】
ステップＳ１１で、予約番組カレンダーを表示するよう指示されていないと判断すると（ステップＳ１１；Ｎｏ）、ＣＰＵ２０１は、ステップＳ１１の処理を繰り返して行う。
【００７９】
一方、ステップＳ１１で、予約番組カレンダーを表示するよう指示されたと判断すると（ステップＳ１１；Ｙｅｓ）、ＣＰＵ２０１は、カレンダー作成プログラム２０４ｃを実行して、予約番組カレンダーを作成する（ステップＳ１２）。
【００８０】
ここで、ＣＰＵ２０１は、例えば、予約番組情報記憶ファイル１９ｂに番組情報が記憶されている予約番組の放送日が識別可能な予約番組カレンダーを作成する。
具体的には、ＣＰＵ２０１は、まず、予約番組のカレンダーの作成に必要な月別のカレンダーを生成する。
【００８１】
次に、ＣＰＵ２０１は、一の日に放送される録画予約番組の番組情報が予約番組情報記憶ファイル１９ｂに記憶されており、当該一の日に放送される録画予約番組（残りの録画予約番組）が１つである場合、生成された月別のカレンダー中の当該一の日を示す日付欄に「単数録画予約アイコン」を表示させるためのアイコン情報を付加する。
また、当該一の日に放送される録画予約番組が複数である場合、生成された月別のカレンダー中の当該一の日を示す日付欄に「複数録画予約アイコン」を表示させるためのアイコン情報を付加するとともに、当該アイコン情報に、残りの録画予約番組数（Ｘ）と録画完了番組数（Ｙ）と録画失敗番組数（Ｚ）とを表示させるための情報を含む第１番組数情報を付加する。
また、当該一の日に放送される録画予約番組の放送が全て終了している場合、生成された月別のカレンダー中の当該一の日を示す日付欄に「放送済み録画予約マーク」を表示させるための放送済み録画予約情報を付加する。
【００８２】
また、ＣＰＵ２０１は、一の日に放送される視聴予約番組の番組情報が予約番組情報記憶ファイル１９ｂに記憶されており、当該一の日に放送される視聴予約番組（残りの視聴予約番組）が１つである場合、生成された月別のカレンダー中の当該一の日を示す日付欄に「単数視聴予約アイコン」を表示させるためのアイコン情報を付加する。
また、当該一の日に放送される視聴予約番組が複数である場合、生成された月別のカレンダー中の当該一の日を示す日付欄に「複数視聴予約アイコン」を表示させるためのアイコン情報を付加するとともに、当該アイコン情報に、残りの視聴予約番組数（Ｘ）を表示させるための情報を含む第２番組数情報を付加する。
また、当該一の日に放送される視聴予約番組の放送が全て終了している場合、生成された月別のカレンダー中の当該一の日を示す日付欄に「放送済み視聴予約マーク」を表示させるための放送済み視聴予約情報を付加する。
【００８３】
次に、ＣＰＵ２０１は、一の日に放送される録画予約番組（残りの録画予約番組）及び／又は視聴予約番組（残りの視聴予約番組）の中に放送時間が重複する番組がある場合、生成された月別のカレンダー中の当該一の日を示す日付欄に、「重複予約マーク」を表示させるための重複予約情報を付加する。
【００８４】
次に、ＣＰＵ２０１は、過去を示す日付欄と、現在及び未来を示す日付欄のうちの、ＥＰＧデータがＥＰＧデータ記憶ファイル１９ａに記憶されている日を示す日付欄と、現在及び未来を示す日付欄のうちの、ＥＰＧデータがＥＰＧデータ記憶ファイル１９ａに記憶されていない日を示す日付欄と、を識別するための日付欄識別情報を、各日付欄に付加することによって、予約番組カレンダーを作成する。
【００８５】
次いで、ＣＰＵ２０１は、カレンダー表示制御プログラム２０４ｄを実行して、ステップＳ１２で作成された予約番組カレンダーを、映像表示部１７ｂに表示させる（ステップＳ１３）。
【００８６】
次いで、ＣＰＵ２０１は、予約番組の放送が終了したか否か判断する（ステップＳ１４）。
【００８７】
ステップＳ１４で、予約番組の放送が終了したと判断すると（ステップＳ１４；Ｙｅｓ）、ＣＰＵ２０１は、ステップＳ１２以降の処理を繰り返して行う。
【００８８】
具体的には、録画予約番組の放送が終了し、その録画予約番組の録画が完了した場合、残りの録画予約番組数（Ｘ）は減って、録画完了番組数（Ｙ）は増えるため、付加する第１番組数情報の内容を変更する必要がある。
また、録画予約番組の放送が終了し、その録画予約番組の録画が失敗した場合、残りの録画予約番組数（Ｘ）は減って、録画失敗番組数（Ｚ）は増えるため、付加する第１番組数情報の内容を変更する必要がある。
また、録画予約番組の放送が終了して、一の日に放送される残りの録画予約番組数が「２」から「１」になった場合、「複数録画予約アイコン」に代えて「単数録画予約アイコン」を表示し、かつ、第１番組数情報に基づく数値を消去する必要がある。
また、録画予約番組の放送が終了して、一の日に放送される残りの録画予約番組数が「１」から「０」になった場合、「単数録画予約アイコン」に代えて「放送済み録画予約アイコン」を表示する必要がある。
また、視聴予約番組の放送が終了した場合、残りの視聴予約番組数（Ｘ）は減るため、付加する第２番組数情報の内容を変更する必要がある。
また、視聴予約番組の放送が終了して、一の日に放送される残りの視聴予約番組数が「２」から「１」になった場合、「複数視聴予約アイコン」に代えて「単数視聴予約アイコン」を表示し、かつ、第２番組数情報に基づく数値を消去する必要がある。
また、視聴予約番組の放送が終了して、一の日に放送される残りの視聴予約番組数が「１」から「０」になった場合、「単数視聴予約アイコン」に代えて「放送済み視聴予約アイコン」を表示する必要がある。
また、放送時間が重複する予約番組の何れか一方が終了した場合、「重複予約マーク」を消去する必要がある。
したがって、予約番組カレンダー画面の表示中に録画予約番組や視聴予約番組の放送が終了すると、日付欄に付加する情報を変更する必要があるため、改めて予約番組カレンダーを作成することとする。
【００８９】
一方、ステップＳ１４で、予約番組の放送が終了していないと判断すると（ステップＳ１４；Ｎｏ）、ＣＰＵ２０１は、ユーザによるリモコン１８ａ操作によって、新たに予約番組が指定されたか否か判断する（ステップＳ１５）。
【００９０】
ステップＳ１５で、新たに予約番組が指定されたと判断すると（ステップＳ１５；Ｙｅｓ）、ＣＰＵ２０１は、ステップＳ１２以降の処理を繰り返して行う。
【００９１】
ここで、例えば、予約番組カレンダー画面の表示中に、リモコン１８ａに設けられた「番組表」ボタンが操作されると、ＣＰＵ２０１は、ＥＰＧ画面を映像表示部１７ｂに表示させる。そして、例えば、そのＥＰＧ画面で録画予約番組や視聴予約番組が指定された後、リモコン１８ａに設けられた「戻る」ボタンが操作されると、ＣＰＵ２０１は、再び予約番組カレンダー画面を表示させるようになっている。
なお、例えば、予約番組カレンダー画面の表示中に、リモコン１８ａを操作して番組の放送時刻等を入力することによっても、録画予約番組や視聴予約番組を指定できるようになっている。
【００９２】
具体的には、新たに録画予約番組が指定された場合、残りの録画予約番組数（Ｘ）は増えるため、付加する第１番組数情報の内容を変更する必要がある。
また、新たに録画予約番組が指定されて、一の日に放送される残りの録画予約番組数が「０」から「１」になった場合、「単数録画予約アイコン」を表示する必要がある。なお、「放送済み録画予約マーク」が表示されている場合は、その「放送済み録画予約マーク」に代えて「単数録画予約アイコン」を表示する必要がある。
また、新たに録画予約番組が指定されて、一の日に放送される残りの録画予約番組数が「１」から「２」になった場合、「単数録画予約アイコン」に代えて「複数録画予約アイコン」を表示し、かつ、第１番組数情報に基づく数値を表示する必要がある。
また、新たに視聴予約番組が指定された場合、残りの視聴予約番組数（Ｘ）は増えるため、付加する第２番組数情報の内容を変更する必要がある。
また、新たに視聴予約番組が指定されて、一の日に放送される残りの視聴予約番組数が「０」から「１」になった場合、「単数視聴予約アイコン」を表示する必要がある。なお、「放送済み視聴予約マーク」が表示されている場合は、その「放送済み視聴予約マーク」に代えて「単数視聴予約アイコン」を表示する必要がある。
また、新たに視聴予約番組が指定されて、一の日に放送される残りの録画予約番組数が「１」から「２」になった場合、「単数視聴予約アイコン」に代えて「複数視聴予約アイコン」を表示し、かつ、第２番組数情報に基づく数値を表示する必要がある。
また、既に指定されている予約番組の中に、新たに指定された予約番組と放送時間が重複する番組がある場合、「重複予約マーク」を表示する必要がある。
したがって、予約番組カレンダー画面の表示中に新たに録画予約番組や視聴予約番組が指定されると、日付欄に付加する情報を変更する必要があるため、改めて予約番組カレンダーを作成することとする。
【００９３】
一方、ステップＳ１５で、新たに予約番組が指定されていないと判断すると（ステップＳ１５；Ｎｏ）、ＣＰＵ２０１は、ユーザによるリモコン１８ａ操作によって、予約が取り消されたか否かを判断する（ステップＳ１６）。
【００９４】
ステップＳ１６で、予約が取り消されたと判断すると（ステップＳ１６；Ｙｅｓ）、ＣＰＵ２０１は、ステップＳ１２以降の処理を繰り返して行う。
【００９５】
ここで、例えば、予約情報画面において、「予約削除」が指定されると、ＣＰＵ２０１は、再び予約番組カレンダー画面を表示させるようになっている。
具体的には、録画予約が取り消された場合、残りの録画予約番組数は減り、視聴予約が取り消された場合、残りの視聴予約番組数は減るため、日付欄に付加する情報を変更する必要がある。したがって、予約情報画面において、録画予約番組や視聴予約番組が取り消されると、改めて予約番組カレンダーを作成することとする。
【００９６】
一方、ステップＳ１６で、予約が取り消されていないと判断すると（ステップＳ１６；Ｎｏ）、ＣＰＵ２０１は、ユーザによるリモコン１８ａ操作によって、予約方法が変更されたか否か判断する（ステップＳ１７）。
【００９７】
ステップＳ１７で、予約方法が変更されたと判断すると（ステップＳ１７；Ｙｅｓ）、ＣＰＵ２０１は、ステップＳ１２以降の処理を繰り返して行う。
【００９８】
ここで、例えば、予約情報画面において、「予約方法」が指定されて、予約方法が、視聴予約から録画予約に、或いは、録画予約から視聴予約に変更され、その後、「予約登録」が指定されると、ＣＰＵ２０１は、再び予約番組カレンダー画面を表示させるようになっている。
具体的には、予約方法が視聴予約から録画予約に変更された場合、残りの録画予約番組数は増えて、残りの視聴予約番組数は減り、予約方法が録画予約から視聴予約に変更された場合、残りの録画予約番組数は減って、残りの視聴予約番組数は増えるため、日付欄に付加する情報を変更する必要がある。したがって、予約情報画面において、予約方法が変更されると、改めて予約番組カレンダーを作成することとする。
【００９９】
一方、ステップＳ１７で、予約方法が変更されていないと判断すると（ステップＳ１７；Ｎｏ）、ＣＰＵ２０１は、ユーザによるリモコン１８ａ操作によって、予約番組カレンダーの表示を停止するよう指示されたか否か判断する（ステップＳ１８）。
【０１００】
ステップＳ１８で、予約番組カレンダーの表示を停止するよう指示されていないと判断すると（ステップＳ１８；Ｎｏ）、ＣＰＵ２０１は、ステップＳ１４以降の処理を繰り返して行う。
【０１０１】
一方、ステップＳ１８で、予約番組カレンダーの表示を停止するよう指示されたと判断すると（ステップＳ１８；Ｙｅｓ）、予約番組カレンダー画面の表示を停止して（ステップＳ１９）、ＣＰＵ２０１は、本処理を終了する。
【０１０２】
＜リスト表示処理＞
次に、ＨＤＤ内蔵テレビ１による、予約番組のリスト、録画予約番組のリスト又は視聴予約番組のリストの表示に関する処理について、図１２を参照して説明する。
【０１０３】
まず、ＣＰＵ２０１は、予約番組カレンダー画面において、ユーザによるリモコン１８ａ操作によって一の日付欄が選択されたか否か判断する（ステップＳ２１）。
【０１０４】
ステップＳ２１で、一の日付欄が選択されたと判断すると（ステップＳ２１；Ｙｅｓ）、ＣＰＵ２０１は、リスト作成プログラム２０４ｅを実行して、当該一の日付欄が示す日に放送される予約番組のリストを作成し（ステップＳ２２）、リスト表示制御プログラム２０４ｆを実行して、予約番組リスト画面を映像表示部１７ｂに表示させて（ステップＳ２３）、本処理を終了する。
【０１０５】
一方、ステップＳ２１で、一の日付欄が選択されていないと判断すると（ステップＳ２１；Ｎｏ）、ＣＰＵ２０１は、予約番組カレンダー画面において、ユーザによるリモコン１８ａ操作によって一の録画予約アイコンが選択されたか否か判断する（ステップＳ２４）。
【０１０６】
ステップＳ２４で、一の録画予約アイコンが選択されたと判断すると（ステップＳ２４；Ｙｅｓ）、ＣＰＵ２０１は、リスト作成プログラム２０４ｅを実行して、当該一の録画予約アイコンが表示された日付欄が示す日に放送される録画予約番組のリストを作成し（ステップＳ２５）、リスト表示制御プログラム２０４ｆを実行して、録画予約番組リスト画面を映像表示部１７ｂに表示させて（ステップＳ２６）、本処理を終了する。
【０１０７】
一方、ステップＳ２４で、一の録画予約アイコンが選択されていないと判断すると（ステップＳ２４；Ｎｏ）、ＣＰＵ２０１は、予約番組カレンダー画面において、ユーザによるリモコン１８ａ操作によって一の視聴予約アイコンが選択されたか否か判断する（ステップＳ２７）。
【０１０８】
ステップＳ２７で、一の視聴予約アイコンが選択されていないと判断すると（ステップＳ２７；Ｎｏ）、ＣＰＵ２０１は、ステップＳ２１以降の処理を繰り返して行う。
【０１０９】
一方、ステップＳ２７で、一の視聴予約アイコンが選択されたと判断すると（ステップＳ２７；Ｙｅｓ）、ＣＰＵ２０１は、リスト作成プログラム２０４ｅを実行して、当該一の視聴予約アイコンが表示された日付欄が示す日に放送される視聴予約番組のリストを作成し（ステップＳ２８）、リスト表示制御プログラム２０４ｆを実行して、録画予約番組リスト画面を映像表示部１７ｂに表示させて（ステップＳ２９）、本処理を終了する。
【０１１０】
以上説明した本実施形態のＨＤＤ内蔵テレビ１によれば、ユーザによるリモコン１８ａ操作により指定された録画予約番組及び／又は視聴予約番組の放送日を示す日付欄に、所定の録画予約アイコン及び／又は視聴予約アイコンを表示させるためのアイコン情報を付加することによって、当該日付欄に、当該録画予約アイコン及び／又は視聴予約アイコンが表示された予約番組カレンダーを作成するカレンダー作成プログラム２０４ｃを実行したＣＰＵ２０１と、当該作成された予約番組カレンダーを、映像表示部１７ｂに表示させるカレンダー表示制御プログラム２０４ｄを実行したＣＰＵ２０１と、を備えている。
したがって、ＨＤＤ内蔵テレビ１により表示される予約番組カレンダーにおいては、録画予約番組の放送日は録画予約アイコンによって識別でき、視聴予約番組の放送日は視聴予約アイコンによって識別できるため、録画予約番組や視聴予約番組の放送日が一見で分かるとともに、予約番組名等が表示されたカレンダーよりも見易い。すなわち、ＨＤＤ内蔵テレビ１は、使い勝手の良い録画予約番組及び／又は視聴予約番組の一覧を表示することができる。
【０１１１】
また、以上説明した本実施形態のＨＤＤ内蔵テレビ１によれば、カレンダー作成プログラム２０４ｃを実行したＣＰＵ２０１は、一の日に放送される録画予約番組が１つである場合、録画予約アイコンとして「単数録画予約アイコン」を表示させるためのアイコン情報を付加するとともに、一の日に放送される録画予約番組が複数である場合、録画予約アイコンとして「複数録画予約アイコン」を表示させるためのアイコン情報を付加する。また、一の日に放送される視聴予約番組が１つである場合、視聴予約アイコンとして「単数視聴予約アイコン」を表示させるためのアイコン情報を付加するとともに、一の日に放送される視聴予約番組が複数である場合、視聴予約アイコンとして「複数視聴予約アイコン」を表示させるためのアイコン情報を付加するようになっている。
したがって、ＨＤＤ内蔵テレビ１により表示される予約番組カレンダーにおいては、録画予約アイコンの種類によって、一の日に放送される録画予約番組の個数が単数であるか複数であるかを識別でき、視聴予約アイコンの種類によって、一の日に放送される視聴予約番組の個数が単数であるか複数であるかを識別できるため、録画予約番組や視聴予約番組の個数が一見で分かるとともに、予約番組名等が表示されたカレンダーよりも見易い。
【０１１２】
また、以上説明した本実施形態のＨＤＤ内蔵テレビ１によれば、カレンダー作成プログラム２０４ｃを実行したＣＰＵ２０１は、一の日を示す日付欄に付加された「複数録画予約アイコン」を表示させるためのアイコン情報に、録画予約番組数（残りの録画予約番組数（Ｘ））と録画完了番組数（Ｙ）と録画失敗番組数（Ｚ）とを表示させるための情報を含む第１番組数情報を付加し、一の日を示す日付欄に付加された「複数視聴予約アイコン」を表示させるためのアイコン情報に、視聴予約番組数（残りの視聴予約番組数（Ｘ））を表示させるための情報を含む第２番組数情報を付加するようになっている。
したがって、ＨＤＤ内蔵テレビ１により表示される予約番組カレンダーにおいては、「複数録画予約アイコン」とともに表示される数値によって、残りの録画予約番組数（Ｘ）と録画完了番組数（Ｙ）と録画失敗番組数（Ｚ）とを認識でき、「複数視聴予約アイコン」とともに表示される数値によって、残りの視聴予約番組数（Ｘ）を認識できるため、予約処理の進捗状況が一見で分かるとともに、予約番組名等が表示されたカレンダーよりも見易い。
【０１１３】
また、以上説明した本実施形態のＨＤＤ内蔵テレビ１によれば、録画予約番組及び／又は視聴予約番組のリストを作成するリスト作成プログラム２０４ｅを実行したＣＰＵ２０１と、当該作成されたリストを、映像表示部１７ｂに表示させるリスト表示制御プログラム２０４ｆを実行したＣＰＵ２０１と、を備え、リスト作成プログラム２０４ｅを実行したＣＰＵ２０１は、ユーザによるリモコン１８ａ操作により一の日付欄が選択された場合、当該一の日付欄が示す日に放送される録画予約番組及び視聴予約番組のリスト（予約番組のリスト）を作成し、ユーザによるリモコン１８ａ操作により一の録画予約アイコンが選択された場合、当該一の録画予約アイコンが表示された日付欄が示す日に放送される録画予約番組のリストを作成し、ユーザによるリモコン１８ａ操作により一の視聴予約アイコンが選択された場合、当該一の視聴予約アイコンが表示された日付欄が示す日に放送される視聴予約番組のリストを作成するようになっている。
したがって、予約番組カレンダーだけでなく、録画予約番組及び視聴予約番組のリスト、録画予約番組のリスト又は視聴予約番組のリストも表示でき、さらに、ユーザが、録画予約番組及び視聴予約番組のリストを表示させるか、録画予約番組のみのリストを表示させるか、視聴予約番組のみのリストを表示させるか、を選択できるため、使い勝手が良い。
【０１１４】
また、以上説明した本実施形態のＨＤＤ内蔵テレビ１によれば、ＥＰＧデータを記憶するＥＰＧデータ記憶ファイル１９ａを備え、カレンダー作成プログラム２０４ｃを実行したＣＰＵ２０１は、過去を示す日付欄と、現在及び未来を示す日付欄のうちの、ＥＰＧデータがＥＰＧデータ記憶ファイル１９ａに記憶されている日を示す日付欄と、現在及び未来を示す日付欄のうちの、ＥＰＧデータがＥＰＧデータ記憶ファイル１９ａに記憶されていない日を示す日付欄と、を色分けして識別するための日付欄識別情報を、各日付欄に付加するようになっている。
したがって、ＨＤＤ内蔵テレビ１により表示される予約番組カレンダーにおいては、過去を示す日付欄と、現在及び未来を示す日付欄と、を一見で識別できるとともに、ＥＰＧデータがＥＰＧデータ記憶ファイル１９ａに記憶されている日と、記憶されていない日と、を一見で識別できるため、使い勝手が良い。
【０１１５】
また、以上説明した本実施形態のＨＤＤ内蔵テレビ１によれば、カレンダー作成プログラム２０４ｃを実行したＣＰＵ２０１は、一の日に放送される録画予約番組及び／又は視聴予約番組の中に放送時間が重複する番組がある場合、当該一の日を示す日付欄に、「重複予約マーク」を表示させるための重複予約情報を付加するようになっている。
したがって、ＨＤＤ内蔵テレビ１により表示される予約番組カレンダーにおいては、一の日に放送される録画予約番組及び／又は視聴予約番組の中に放送時間が重複する番組があるか否かを一見で識別できるため、使い勝手が良い。
【０１１６】
なお、本発明は、上記した実施の形態のものに限るものではなく、その要旨を逸脱しない範囲で適宜変更可能である。
【０１１７】
フォーカス（太枠Ｆ）を移動させる際やリストを表示させる際などのリモコン１８ａの操作の仕方は、上記実施形態のものに限ることはなく、任意である。
【０１１８】
過去を示す日付欄と、現在及び未来を示す日付欄のうちの、ＥＰＧデータがＥＰＧデータ記憶ファイル１９ａに記憶されている日を示す日付欄と、現在及び未来を示す日付欄のうちの、ＥＰＧデータがＥＰＧデータ記憶ファイル１９ａに記憶されていない日を示す日付欄と、の識別の仕方は、上記実施形態のものに限ることはなく、任意である。
【０１１９】
放送済み録画予約マークや放送済み視聴予約マークは表示しなくても良い。この場合、日付欄に、放送済み録画予約情報や放送済み視聴予約情報は付加しなくても良い。また、この場合、予約番組情報記憶ファイル１９ｂに放送済みの予約番組の番組情報を記憶しておかなくても良い。
【０１２０】
第１番組数情報に基づく数値や第２番組数情報に基づく数値は表示しなくても良い。この場合、アイコン情報に第１番組数情報や第２番組数情報を付加しなくても良い。
また、一の日に放送される録画予約番組が複数である場合や、一の日に放送される視聴予約番組が複数である場合のみ、第１番組数情報に基づく数値や第２番組数情報に基づく数値を表示するようにしたが、一の日に放送される録画予約番組が１つである場合や、一の日に放送される視聴予約番組が１つである場合も、アイコン情報に第１番組数情報や第２番組数情報を付加して、当該第１番組数情報に基づく数値や当該第２番組数情報に基づく数値を表示するようにしても良い。
【０１２１】
一の日に放送される録画予約番組が１つである場合、当該一の日を示す日付欄に「単数録画予約アイコン」を表示させ、一の日に放送される録画予約番組が複数である場合、当該一の日を示す日付欄に「複数録画予約アイコン」を表示させるようにしたが、一の日に放送される録画予約番組が１つである場合も、複数である場合も、図柄等が同一の録画予約アイコンを表示しても良い。
視聴予約アイコンの場合についても同様である。
また、予約番組カレンダーに表示されるアイコンやマークは、図示したものに限るものではない。
【０１２２】
放送開始時刻が早い順に予約番号「１」、「２」、…を付与するようにしたが、これに限ることはなく、所定の順に予約番号を付与することができるのであれば、例えば、ユーザからの予約指示の順に予約番号を付与しても良い。
【０１２３】
予約番組カレンダー中の日付欄を、１行で一週間を示し、１列で同一曜日の異なる日を示すように配置したが、日付欄の配置の仕方は任意である。
また、予約番組カレンダーの作成の際に生成されるカレンダーは、月別のカレンダーに限ることはなく、例えば、週別のカレンダーであっても良い。本実施形態では、月別のカレンダーを生成して、１か月分の予約番組カレンダーを一画面に表示するようにしたが、例えば、２か月（２か月以上であっても良い）分の予約番組カレンダーを一画面に表示するようにしても良い。また、週別のカレンダーを生成した場合は、例えば、１週間分の予約番組カレンダーを一画面に表示するようにしても良いし、２週間（２週間以上であっても良い）分の予約番組カレンダーを一画面に表示するようにしても良い。
【０１２４】
放送受信システムは、テレビジョン放送波からテレビジョン放送信号を受信する受信手段を備え、録画予約及び／又は視聴予約を受け付ける機能を有するものであれば、ＨＤＤ内蔵テレビ１に限ることはなく任意である。
また、上記実施形態では、映像表示部１７ｂ（表示手段）をＨＤＤ内蔵テレビ１（放送受信システム）内に備えるようにしたが、表示手段は、放送受信システム外に備えられていても良い。
また、上記実施形態では、放送受信システムを、テレビジョン放送信号を受信する機能と、録画予約及び／又は視聴予約を受け付ける機能と、を有する１つの装置（すなわち、ＨＤＤ内蔵テレビ１）で構成したが、これに限るものではなく、放送受信システムは、テレビジョン放送信号を受信する機能を有する装置と、録画予約及び／又は視聴予約を受け付ける機能を有する装置と、の複数の装置で構成されるものであっても良い。この場合、何れかの装置でカレンダーやリストを作成したり表示手段に表示させたりすれば良い。
すなわち、具体的には、放送受信システムは、ＳＴＢ（Set Top Box）、レコーダ等の録画装置、録画機能を有さないテレビ等の何れか１つであっても良いし、何れか複数を組み合わせたものであっても良い。
【符号の説明】
【０１２５】
１  ＨＤＤ内蔵テレビ（放送受信システム）
１１  チューナ（受信手段）
１７ｂ  映像表示部（表示手段）
１８ａ  リモコン（指定手段、選択手段）
１９ａ  ＥＰＧデータ記憶ファイル（ＥＰＧデータ記憶手段）
２０１  ＣＰＵ（カレンダー作成手段（アイコン情報付加手段、番組数情報付加手段、日付欄識別情報付加手段、重複予約情報付加手段）、カレンダー表示制御手段、リスト作成手段、リスト表示制御手段）
２０４ｃ  カレンダー作成プログラム（カレンダー作成手段（アイコン情報付加手段、番組数情報付加手段、日付欄識別情報付加手段、重複予約情報付加手段））
２０４ｄ  カレンダー表示制御プログラム（カレンダー表示制御手段）
２０４ｅ  リスト作成プログラム（リスト作成手段）
２０４ｆ  リスト表示制御プログラム（リスト表示制御手段）
【図１】
2010212843.tif 000003
【図２】
2010212843.tif 000004
【図３】
2010212843.tif 000005
【図４】
2010212843.tif 000006
【図５】
2010212843.tif 000007
【図６】
2010212843.tif 000008
【図７】
2010212843.tif 000009
【図８】
2010212843.tif 000010
【図９】
2010212843.tif 000011
【図１０】
2010212843.tif 000012
【図１１】
2010212843.tif 000013
【図１２】
2010212843.tif 000014